【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
トナー像を担持する像担持体と、無端状で回転可能な中間転写体と、電圧を印加する電源と、を有する画像形成装置において、
前記中間転写体は、前記中間転写体の周方向に電流を流すことが可能な導電性を備え、
前記電源から所定極性の電圧を印加することにより、前記中間転写体の周方向に電流を流すことで前記像担持体から前記中間転写体にトナー像を１次転写させ、
前記電源から前記所定極性の電圧を印加することにより前記中間転写体に１次転写されたトナー像を転写材に２次転写させることを特徴とする画像形成装置。
【請求項２】
前記中間転写体の外周面に接触して前記中間転写体と２次転写部を形成する２次転写部材を有し、前記電源は、前記２次転写部材に前記所定極性の電圧として、トナーの正規の帯電極性と逆極性の電圧を印加することを特徴とする請求項１に記載の画像形成装置。
【請求項３】
前記電源から前記２次転写部材に前記所定極性の電圧を印加することによって、前記像担持体から前記中間転写体にトナー像を１次転写させつつ、前記中間転写体から転写材へトナー像を２次転写させることを特徴とする請求項２に記載の画像形成装置。
【請求項４】
前記中間転写体に測定用電源から測定用電圧が印加された第１の金属ローラを接触させ、前記中間転写体に電流検知手段が接続された第２の金属ローラを前記第１の金属ローラから前記中間転写体の周方向において離れた位置で接触させ、前記測定用電圧を、前記電流検知手段が検知した電流値で割った値を前記中間転写体の周方向抵抗と定義し、前記中間転写体の前記周方向抵抗の値は、１０４Ω以上、且つ、１０８Ω以下であることを特徴とする請求項１から請求項３のいずれか一項に記載の画像形成装置。
【請求項５】
前記中間転写体は、複数の支持部材によって内周面が支持される中間転写ベルトであることを特徴とする請求項２から請求項４のいずれか一項に記載の画像形成装置。
【請求項６】
前記複数の支持部材のうちの一つの支持部材は、前記中間転写ベルトを介して前記２次転写部材に対向する２次転写対向部材であり、前記２次転写対向部材は、前記中間転写ベルトの表面電位を所定電位以上に維持する為の抵抗体が接続されていることを特徴とする請求項５に記載の画像形成装置。
【請求項７】
前記複数の支持部材は、全て前記抵抗体が接続されていることを特徴とする請求項６に記載の画像形成装置。
【請求項８】
前記複数の支持部材のうちの一つの支持部材は、前記中間転写ベルトを介して前記２次転写部材に対向する２次転写対向部材であり、前記２次転写対向部材は、定電圧素子が接続されていることを特徴とする請求項５に記載の画像形成装置。
【請求項９】
前記複数の支持部材は、全て定電圧素子が接続されていることを特徴とする請求項６に記載の画像形成装置。
【請求項１０】
前記定電圧素子は、ツェナーダイオードであることを特徴とする請求項８又は請求項９に記載の画像形成装置。
【請求項１１】
前記定電圧素子は、バリスタであることを特徴とする請求項８又は請求項９に記載の画像形成装置。
【請求項１２】
前記中間転写ベルトは、多層構成であり、表層の抵抗が他の層の抵抗よりも高いことを特徴とする請求項５から請求項１１のいずれか一項に記載の画像形成装置。
【請求項１３】
前記像担持体は、それぞれが異なる色のトナー像を担持する複数の像担持体であることを特徴とする請求項１から請求項１２のいずれか一項に記載の画像形成装置。
【請求項１４】
前記中間転写体を介して前記複数の像担持体にそれぞれ対応する位置に複数の対応部材を有し、前記複数の対応部材によって前記中間転写ベルトと前記複数の像担持体は接触することを特徴とする請求項１３に記載の画像形成装置。
【請求項１５】
前記複数の対応部材は、電気的に絶縁されていることを特徴とする請求項１４に記載の画像形成装置。
【請求項１６】
トナー像を担持する像担持体と、無端状で回転可能な中間転写体と、前記中間転写体に接触する電流供給部材と、前記電流供給部材に電圧を印加する電源と、を有し、前記像担持体から前記中間転写体に１次転写されたトナー像を転写材に２次転写させる画像形成装置において、
前記中間転写体は、前記中間転写体の周方向に電流を流すことが可能な導電性を備え、
前記電流供給部材は、前記中間転写体の外周面に接触するものであり、
前記電流供給部材に電圧を印加することにより前記電流供給部材から前記中間転写体の周方向に電流を流すことで前記像担持体から前記中間転写体にトナー像を１次転写させ、
前記電流供給部材に前記電源から電圧を印加することにより前記中間転写体から転写材にトナー像を２次転写させることを特徴とする画像形成装置。
【請求項１７】
前記電源から前記電流供給部材に所定極性の電圧を印加することによって、前記像担持体から前記中間転写体にトナー像を１次転写させつつ、前記中間転写体から転写材へトナー像を２次転写させることを特徴とする請求項１６に記載の画像形成装置。
【請求項１８】
前記中間転写体に測定用電源から測定用電圧が印加された第１の金属ローラを接触させ、前記中間転写体に電流検知手段が接続された第２の金属ローラを前記第１の金属ローラから前記中間転写体の周方向において離れた位置で接触させ、前記測定用電圧を、前記電流検知手段が検知した電流値で割った値を前記中間転写体の周方向抵抗と定義し、前記中間転写体の前記周方向抵抗の値は、１０４Ω以上、且つ、１０８Ω以下であることを特徴とする請求項１６又は請求項１７に記載の画像形成装置。
【請求項１９】
前記中間転写体は、複数の支持部材によって内周面が支持される中間転写ベルトであることを特徴とする請求項１６から請求項１８のいずれか一項に記載の画像形成装置。
【請求項２０】
前記複数の支持部材のうちの一つの支持部材は、前記中間転写ベルトを介して前記電流供給部材に対向する対向部材であり、前記対向部材は、前記中間転写ベルトの表面電位を所定電位以上に維持する為の抵抗体が接続されていることを特徴とする請求項１９に記載の画像形成装置。
【請求項２１】
前記複数の支持部材は、全て前記抵抗体が接続されていることを特徴とする請求項２０に記載の画像形成装置。
【請求項２２】
前記複数の支持部材のうちの一つの支持部材は、前記中間転写ベルトを介して前記電流供給部材に対向する対向部材であり、前記対向部材は、定電圧素子が接続されていることを特徴とする請求項１９に記載の画像形成装置。
【請求項２３】
前記複数の支持部材は、全て定電圧素子が接続されていることを特徴とする請求項２２に記載の画像形成装置。
【請求項２４】
前記定電圧素子は、ツェナーダイオードであることを特徴とする請求項２２又は請求項２３に記載の画像形成装置。
【請求項２５】
前記定電圧素子は、バリスタであることを特徴とする請求項２２又は請求項２３に記載の画像形成装置。
【請求項２６】
前記中間転写ベルトは、多層構成であり、表層の抵抗が他の層の抵抗よりも高いことを特徴とする請求項１９から請求項２５のいずれか一項に記載の画像形成装置。
【請求項２７】
前記電流供給部材は、前記中間転写体の外周面に接触して前記中間転写体と２次転写部を形成する２次転写部材であることを特徴とする請求項１６から請求項２６のいずれか一項に記載の画像形成装置。
【請求項２８】
前記像担持体は、それぞれが異なる色のトナー像を担持する複数の像担持体であることを特徴とする請求項１６から請求項２７のいずれか一項に記載の画像形成装置。
【請求項２９】
前記中間転写体を介して前記複数の像担持体にそれぞれ対応する位置に複数の対応部材を有し、前記複数の対応部材によって前記中間転写体と前記複数の像担持体は接触することを特徴とする請求項２８に記載の画像形成装置。
【請求項３０】
前記複数の対応部材は、電気的に絶縁されていることを特徴とする請求項２９に記載の画像形成装置。
【手続補正２】
【補正対象書類名】明細書
【補正対象項目名】００１１
【補正方法】変更
【補正の内容】
【００１１】
前述の課題を解決するため本出願の代表的な構成は、トナー像を担持する像担持体と、無端状で回転可能な中間転写体と、電圧を印加する電源と、を有する画像形成装置において、
前記中間転写体は、前記中間転写体の周方向に電流を流すことが可能な導電性を備え、
前記電源から所定極性の電圧を印加することにより、前記中間転写体の周方向に電流を流すことで前記像担持体から前記中間転写体にトナー像を１次転写させ、
前記電源から前記所定極性の電圧を印加することにより前記中間転写体に１次転写されたトナー像を転写材に２次転写させることを特徴とする。
【手続補正３】
【補正対象書類名】明細書
【補正対象項目名】００１２
【補正方法】変更
【補正の内容】
【００１２】
また、前述の課題を解決するため、本出願の代表的な構成は、トナー像を担持する像担持体と、無端状で回転可能な中間転写体と、前記中間転写体に接触する電流供給部材と、前記電流供給部材に電圧を印加する電源と、を有し、前記像担持体から前記中間転写体に１次転写されたトナー像を転写材に２次転写させる画像形成装置において、
前記中間転写体は、前記中間転写体の周方向に電流を流すことが可能な導電性を備え、
前記電流供給部材は、前記中間転写体の外周面に接触するものであり、
前記電流供給部材に電圧を印加することにより前記電流供給部材から前記中間転写体の周方向に電流を流すことで前記像担持体から前記中間転写体にトナー像を１次転写させ、
前記電流供給部材に前記電源から電圧を印加することにより前記中間転写体から転写材にトナー像を２次転写させることを特徴とする。
【手続補正４】
【補正対象書類名】明細書
【補正対象項目名】００１３
【補正方法】変更
【補正の内容】
【００１３】
電源から中間転写体の周方向に電流を供給することによって、低コスト化、小型化を達成しつつ、１次転写と２次転写を行うことが可能になる。